(57)【要約】      （修正有）【課題】非接触充電が可能な電池モジュール及びその充電構造を提供する。【解決手段】非接触充電が可能な電池モジュールは、電池１４と、コイル１２及び充電回路１３を含む充電ユニット１１と、を含む。充電ユニット１１と電池１４とは、電気的に接続される。電池モジュールの充電構造は、電池モジュール及び非接触充電器を含む。非接触充電器は、充電板を含む。充電板には、充電ユニット１１のコイル１２に対応する他のコイルが設けられる。これにより、充電ユニット１１のコイル１２と非接触充電器のコイルとの間に電磁誘導を発生させ、非接触充電器に蓄電された電力を電池モジュールに非接触方式で出力し、充電回路を介して電池１４に対して充電を行うことができる。【選択図】図１
0003191927.tif 000002
【実用新案登録請求の範囲】
【請求項１】
電池及び充電ユニットを備える非接触充電が可能な電池モジュールであって、
前記充電ユニットは、コイル及び充電回路を有し、前記充電ユニットと前記電池とは、電気的に接続されることを特徴とする非接触充電が可能な電池モジュール。
【請求項２】
前記充電ユニット及び前記電池を被覆して保護する表部がさらに設けられることを特徴とする請求項１に記載の非接触充電が可能な電池モジュール。
【請求項３】
電池モジュール及び非接触充電器を備える電池モジュールの充電構造であって、
前記電池モジュールは、電池及び充電ユニットを有し、前記充電ユニットは、コイル及び充電回路を有し、前記充電ユニットと前記電池とは、電気的に接続され、
前記非接触充電器は、充電板を有し、前記充電板には、前記充電ユニットのコイルに対応する他のコイルが設けられることを特徴とする電池モジュールの充電構造。
【請求項４】
前記非接触充電器には、電源端子が設けられることを特徴とする請求項３に記載の電池モジュールの充電構造。
【請求項５】
前記電源端子には、太陽電池パネルが装着されることを特徴とする請求項４に記載の電池モジュールの充電構造。
【請求項６】
前記非接触充電器は、充電及び蓄電を行う充電池を有し、前記充電池は、前記充電板と電気的に接続されることを特徴とする請求項３に記載の電池モジュールの充電構造。
【請求項７】
前記非接触充電器には、立設部が設けられることを特徴とする請求項３に記載の電池モジュールの充電構造。
【考案の詳細な説明】
【技術分野】
【０００１】
本考案は、非接触充電が可能な電池モジュール及びその充電構造に関し、特に、電池モジュールと非接触充電器との間に電磁誘導を発生させることにより、非接触充電器に蓄電された電力を非接触方式で電池モジュールの電池に充電することができる非接触充電が可能な電池モジュール及びその充電構造に関する。
【背景技術】
【０００２】
携帯電話、デジタルカメラ、ＰＤＡ装置、ノート型パソコンなどの携帯型電子機器は、電力を使い終わった場合、再び作動させるには、電源を接続しなければならない。電力を補充する際、伝送線及びプラグをコンセントに挿入して電子機器と商用電源とを接続することにより、電力を取得することができる。また、従来の電気製品（例えば、掃除機など）を作動させるには、伝送線及びプラグをコンセントに挿入して電気製品と商用電源とを接続し、電力を補充しなければならない。
【０００３】
しかし、上述の電子機器、電気製品などは、伝送線及びプラグを用いる有線の送電方式によってしか充電を行うことができず、非接触方式で充電を行うことができないため、使用上及び携帯上、不便であった。
【０００４】
そこで、非接触充電器が案出された。携帯電話、デジタルカメラ、ＰＤＡ装置などを非接触充電器の表面に置くと、非接触充電器に蓄電された電力を非接触方式で携帯電話、デジタルカメラ、ＰＤＡ装置などに充電することができる。しかし、非接触充電器が電池に非接触充電を直接行うことができる技術は、未だ見られない。
【０００５】
本考案の考案者は、当該技術に長年従事しており、研究及び改良を幾度も繰り返し、ついに本考案を案出した。
【先行技術文献】
【特許文献】
【０００６】
【特許文献１】特開２０１３−５８７１７号公報
【考案の概要】
【考案が解決しようとする課題】
【０００７】
本考案の目的は、従来技術の欠点を解決することができ、電池モジュールの電池に非接触充電を行うことができる電池モジュール及びその充電構造を提供することにある。
【課題を解決するための手段】
【０００８】
上述の課題を解決するために、本考案の非接触充電が可能な電池モジュールは、電池及び充電ユニットを含む。充電ユニットは、コイル及び充電回路を含む。充電ユニットと電池とは、電気的に接続される。これにより、非接触充電器とコイルとの間に電磁誘導を発生させ、電池モジュールに電力を非接触方式で出力し、充電回路を介して電池に対して充電を行うことができる。
【０００９】
非接触充電が可能な電池モジュールには、充電ユニット及び電池を被覆して保護する表部がさらに設けられる。
【００１０】
本考案の電池モジュールの充電構造は、電池モジュール及び非接触充電器を含む。電池モジュールは、電池及び充電ユニットを含む。充電ユニットは、コイル及び充電回路を含む。充電ユニットと電池とは、電気的に接続される。非接触充電器は、充電板を含む。充電板には、充電ユニットのコイルに対応する他のコイルが設けられる。これにより、充電ユニットのコイルと非接触充電器のコイルとの間に電磁誘導を発生させ、非接触充電器に蓄電された電力を電池モジュールに非接触方式で出力し、充電回路を介して電池に対して充電を行うことができる。
【００１１】
非接触充電器には、電源端子が設けられる。
【００１２】
電源端子には、太陽電池パネルが装着される。
【００１３】
非接触充電器は、充電及び蓄電を行う充電池を含む。充電池と充電板とは、電気的に接続される。
【００１４】
非接触充電器には、立設部が設けられる。
【考案の効果】
【００１５】
本考案は、電池モジュールに非接触充電を行うことができる充電構造を提供するものであり、電池モジュールを含む他に、非接触充電器をさらに含む。非接触充電器は、充電板を含む。充電板には、充電ユニットのコイルに対応する他のコイルが設けられる。これにより、充電ユニットのコイルと非接触充電器のコイルとの間に電磁誘導を発生させ、非接触充電器に蓄電された電力を電池モジュールに非接触方式で出力し、充電回路を介して電池に対して充電を行うことができる。
【図面の簡単な説明】
【００１６】
【図１】本考案の電池モジュールを示す分解斜視図である。
【図２】本考案の電池モジュールを示す一部透過斜視図である。
【図３】本考案の電池モジュールを非接触充電器上に置いて非接触充電を行う状態を示す斜視図である。
【図４】本考案の電池モジュールを非接触充電器上に置いて非接触充電を行う状態を示す断面図である。
【図５】本考案の非接触充電器に太陽電池パネルを装着して使用する状態を示す斜視図である。
【図６】本考案の非接触充電器に太陽電池パネルを装着し、電池モジュールに非接触充電を行う状態を示す斜視図である。
【図７】本考案の非接触充電器中の充電板、充電池を示す分解斜視図である。
【図８】本考案の非接触充電器を示す一部透過斜視図である。
【図９】本考案の電池モジュールを非接触充電器上に縦向きに置いて非接触充電を行う状態を示す斜視図である。
【考案を実施するための形態】
【００１７】
図１〜図３を参照する。図１〜図３に示すように、本考案の非接触充電が可能な電池モジュール１０は、充電ユニット１１及び電池１４を含む。電池モジュール１０の充電構造は、電池モジュール１０を含む以外に、電力を蓄電する非接触充電器２０を含む。使用する際、電池モジュール１０を非接触充電器２０上側表面に置くと、電池モジュール１０と非接触充電器２０との間で電磁誘導を発生させ、非接触充電器２０に蓄電された電力を電池モジュール１０の電池１４に非接触方式で充電することができる。
【００１８】
図１及び図２に示すように、本考案の電池モジュール１０の充電ユニット１１は、各素子を統合した回路基板でもよく、電力を非接触方式で受信し、制御し、受信した電力を電池１４中に充電するために用いられる。充電ユニット１１には、回路状のコイル１２が設けられ、電力を受信するために用いられる。充電ユニット１１には、充電回路１３が設けられる。充電回路１３は、電圧信号を安定させ、電池１４に対して適切に充電を行うために用いられる。例えば、電池１４の電力が減少すると、充電動作を開始するが、電池１４の電力が飽和状態の場合、充電回路１３が制御を行い、電池１４に過度な充電が行われて電池１４が損傷するのを防止する。
【００１９】
電池１４は、充電及び蓄電を行うことができる電池である上、充電ユニット１１と電気的に接続される。
【００２０】
電池モジュール１０には、表部１５が設けられ、充電ユニット１１及び電池１４を被覆して保護する。或いは、表部１５は、開口を有し、電池１４を自由に出し入れして交換することができる。
【００２１】
図３〜図５に示すように、本考案の非接触充電器２０の側面には、電源端子２１が設けられる。電源端子２１は、伝送線３０から入力される商用電源を受信し、電力を非接触充電器２０に蓄電するために用いられる。非接触充電器２０は、充電板２２を含む。充電板２２には、充電ユニット１１のコイル１２に対応するコイル２３が設けられる。充電板２２は、蓄電回路２４を含み、電圧信号を安定させ、非接触充電器２０に対して適切な充電動作を行うために用いられる。例えば、非接触充電器２０の電力が減少すると、充電動作を開始するが、非接触充電器２０の電力が飽和状態の場合、蓄電回路２４が制御を行い、非接触充電器２０に過度な充電が行われるのを防止する。
【００２２】
図３及び図４に示すように、本考案の電池モジュール１０を使用する際、非接触充電器２０上に置くと、充電ユニット１１のコイル１２と非接触充電器２０のコイル２３との間で電磁誘導を発生させ、非接触充電器２０に蓄電された電力を電池モジュール１０に非接触方式で出力し、充電回路１３を介して電池１４に対して充電を行うことができる。
【００２３】
図５及び図６を参照する。図５及び図６に示すように、本考案の非接触充電器２０の電源端子２１には、太陽電池パネル４０を装着することができる。太陽電池パネル４０は、光源が存在する場所で光エネルギーを収集し、蓄電回路２４が光エネルギーを電気エネルギーに変換して蓄電する。これにより、非接触充電器２０は、光エネルギーを蓄電する方式によって電池モジュール１０に対して非接触充電を行うことができる。
【００２４】
図７及び図８を参照する。図７及び図８に示すように、本考案の非接触充電器２０は、充電及び蓄電を行う充電池２５を含む。充電池２５は、充電板２２と電気的に接続される。これにより、非接触充電器２０は、外部から入力された商用電源を充電池２５に蓄電することができる。
【００２５】
図９を参照する。図９に示すように、本考案の非接触充電器２０には、立設部２６が設けられる。立設部２６により、電池モジュール１０を非接触充電器２０の表面に縦向きに置くことができる。
【００２６】
上述したことから分かるように、本考案の電池モジュール及び非接触充電器には、互いに対応するコイルによって電磁誘導を発生させ、非接触充電器に蓄電された電力を非接触方式で電池モジュールの電池に充電することができる。
【００２７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２８】
１０  電池モジュール
１１  充電ユニット
１２  コイル
１３  充電回路
１４  電池
１５  表部
２０  非接触充電器
２１  電源端子
２２  充電板
２３  コイル
２４  蓄電回路
２５  充電池
２６  立設部
３０  伝送線
４０  太陽電池パネル
【図１】
0003191927.tif 000003
【図２】
0003191927.tif 000004
【図３】
0003191927.tif 000005
【図４】
0003191927.tif 000006
【図５】
0003191927.tif 000007
【図６】
0003191927.tif 000008
【図７】
0003191927.tif 000009
【図８】
0003191927.tif 000010
【図９】
0003191927.tif 000011